(57)【特許請求の範囲】
【請求項１】
液晶モニター装置を手首に保持するための液晶モニター装置の保持装置において、
前記液晶モニター装置の取り付け部に結合されて支承する首振り機構を備えたアーム部と、
前記アーム部を回動自在に取り付ける取り付け部を有する手首に固定される手首ベルトと、
前記手首ベルトから延長されたステーと、
前記ステーの端部に設けた前腕止め部とを備え、
前記液晶モニター装置及び前記アーム部により加わるモーメントを前記手首ベルトと前記前腕止め部とにより保持するとともに、前記液晶モニター装置の画面を眼の方に向けられるように構成されていることを特徴とする液晶モニター装置の保持装置。
【請求項２】
前記液晶モニター装置は、前記液晶モニター装置及び前記アーム部を、前記ステーに沿わせる形で畳めるように構成したことを特徴とする請求項１記載の液晶モニター装置の保持装置。
【請求項３】
前記液晶モニター装置は、前記液晶モニター装置の画面に対し垂直方向に回動自在に構成されていることを特徴とする請求項１記載の液晶モニター装置の保持装置。
【請求項４】
液晶モニター装置を手首に保持するための保持装置を備える液晶モニター装置において、
前記液晶モニター装置の取り付け部に結合されて支承する首振り機構を備えたアーム部と、
前記アーム部を回動自在に取り付ける取り付け部を有する手首に固定される手首ベルトと、
前記手首ベルトから延長されたステーと、
前記ステーの端部に設けた前腕止め部とを備え、
前記液晶モニター装置及び前記アーム部により加わるモーメントを前記手首ベルトと前記前腕止め部とにより保持するとともに、前記液晶モニター装置の画面を眼の方に向けられるように構成されていることを特徴とする保持装置を備える液晶モニター装置。
【請求項５】
前記液晶モニター装置は、前記液晶モニター装置及び前記アーム部を、前記ステーに沿わせる形で畳めるように構成されていることを特徴とする請求項４記載の保持装置を備える液晶モニター装置。
【請求項６】
前記液晶モニター装置は、前記液晶モニター装置の画面に対し垂直方向に回動自在に構成されていることを特徴とする請求項４記載の保持装置を備える液晶モニター装置。
【請求項７】
前記液晶モニター装置は、指輪状の保持具と、該保持具の側面に設けたスイッチとを具備し、該スイッチを保持具を嵌めた指に隣接する指で操作できるようにしたスイッチ装置により制御するように構成したことを特徴とする請求項４記載の保持装置を備える液晶モニター装置。
【請求項８】
前記スイッチ装置には、略十字型に縦横に２個ずつスイッチを有することを特徴とする請求項７記載の保持装置を備える液晶モニター装置。
【発明の詳細な説明】
【０００１】
【発明の属する技術分野】
この発明は、小型の液晶モニターを手首に安定して装着できるようにした液晶モニター装置の保持装置及び保持装置を備える液晶モニター装置に関する。
【０００２】
【従来の技術】
従来の携帯型の小型映像表示装置は例えば通勤時に電車内で見ようとするとき、文庫本などを読むときと同様に手で保持して画面を眼の方に向け見ていた。
しかしながら小型液晶テレビなどの小型液晶表示装置は書籍類に比べて、かなり重量があり、しかも書籍類は文字に視点を合わせて文章を読めばいいが、小型液晶テレビなどでは画面を凝視する必要があり、揺れる車内で画面を固定することは、大変難しいことであった。
【０００３】
【発明が解決しようとする課題】
本発明が解決しようとする課題は、携帯用の小型液晶モニター装置を手首に安定して保持できる液晶モニター装置の保持装置及び保持装置を備える液晶モニター装置を提供することである。
【０００４】
【課題を解決するための手段】
上述の課題を解決するために、本発明に係る液晶モニター装置の保持装置は、液晶モニター装置を手首に保持するための液晶モニター装置の保持装置において、前記液晶モニター装置の取り付け部に結合されて支承する首振り機構を備えたアーム部と、前記アーム部を回動自在に取り付ける取り付け部を有する手首に固定される手首ベルトと、前記手首ベルトから延長されたステーと、前記ステーの端部に設けた前腕止め部とを備え、前記液晶モニター装置及び前記アーム部により加わるモーメントを前記手首ベルトと前記前腕止め部とにより保持するとともに、前記液晶モニター装置の画面を眼の方に向けられるように構成されていることを特徴とする。
【０００５】
また、上述の課題を解決するために、本発明に係る保持装置を備える液晶モニター装置は、液晶モニター装置を手首に保持するための保持装置を備える液晶モニター装置において、前記液晶モニター装置の取り付け部に結合されて支承する首振り機構を備えたアーム部と、前記アーム部を回動自在に取り付ける取り付け部を有する手首に固定される手首ベルトと、前記手首ベルトから延長されたステーと、前記ステーの端部に設けた前腕止め部とを備え、前記液晶モニター装置及び前記アーム部により加わるモーメントを前記手首ベルトと前記前腕止め部とにより保持するとともに、前記液晶モニター装置の画面を眼の方に向けられるように構成されていることを特徴とする。
【０００６】
【発明の実施の形態】
以下、この発明の実施の形態について図面を参照して説明する。
第１の実施の形態
図１〜３はこの発明の第１の実施の形態の映像表示装置の保持装置である。本発明の映像表示装置の保持装置１は、図１に示すように小型液晶モニター等の映像表示装置２の取り付け部２ａに結合されて支承する首振り機構３ａを備えた、アーム部３、アーム部３を回動自在に取り付ける取り付け部３ｂが取り付けられ、人の手首に取り付ける手段としてのホルダー４からなる。
【０００７】
ホルダー４はアーム部３を回動自在に取り付ける取り付け部３ｂを備え、末端が解放され、末端同士を締結するマジックファスナー等から成る締結手段を備え柔軟性のあるプラスチック等から成る手首ベルトと、この手首ベルト１０に一体に形成され、直交方向に延長されたステー１１と、このステー１１の先端に固定された前腕止め部１２から成る。
この前腕止め部１２はプラスチック等の弾性に富んだ材料で端部を解放したＣの字状に構成する。
【０００８】
次にこの保持装置１の用い方について述べると、まず保持装置１のホルダー４の手首ベルト１０を手首に巻き付け、その端部を締結手段９で締結する。そして、前腕止め部１２の解放端部１３を弾性を利用して開き、前腕に嵌める。
アーム部３の首振り機構３ａによって、画面６を自在な角度と位置に調整し、固定できるようになっている。小型液晶モニター（映像表示装置）２の操作釦５を切り替えることによって、画面６に内蔵テレビチューナーや外部の映像再生装置７からの映像信号を再生する。この図では映像再生装置７は携帯型ビデオＣＤ再生機や、携帯型ＶＴＲや小型パーソナルコンピュータ等を用いることができる。そして、音声はヘッドホン８で聞くことができる。
【０００９】
図２にこの映像表示装置２の保持装置１を腕１４に装着した状態を示し、図２（ａ）は小型液晶モニター（映像表示装置）２の画面６を見る場合を示し、液晶モニター（映像表示装置）２の他にアーム部３も存在し、かなりのモーメントがホルダー４に加わることになるが、アーム部３の根元は手首ベルト１０で固定され、モーメントは前腕止め部１２により、前腕で受けるので、確実に保持でき、手１５は自由に動かせる。
図２（ｂ）は小型液晶モニター（映像表示装置）２を折り畳んだ状態を示し、アーム部３を回動して映像表示装置２をステー１１の上に位置するようにしている。
【００１０】
この第１の実施の形態の使用例を図３に示す。この図から判るように、右手にカバンをぶら下げ、左手で吊輪を掴むという電車の中でも、映像表示装置２の画面６の位置は丁度眼の下辺りに来るので、容易に画面を見ることができる。
また、使わないときには畳んでしまえば、点線で示したように上着の袖にぴったりと隠れてしまい都合がよい。
【００１１】
本発明によれば、映像表示装置を手首に回動自在に装着したので、電車内等においては、両手で吊革や、支え棒などに掴まることが可能となった。しかも手首に映像表示装置をしっかりと固定できるようにしたので、手で例えば支え棒を掴むと、手首も固定されることになり、手首に固定された映像表示装置は大変安定して保持することが可能となった。
【００１２】
第２の実施の形態
第２の実施の形態を図４、５に示す。図４がその詳細図である。
機能的に同様の働きをなす構成部に同一の番号を付したが、この第２の実施の形態は第１の実施の形態の保持装置より、機械的な強度を向上させた形態で、アーム部３を省き、首振り機構３ａに映像表示装置２に設けた回転受け部３ｃを支承させ、前腕止め部１２を、ベルト式としたものである。
【００１３】
また、映像再生装置７はデータ通信機能内蔵のパーソナルコンピュータとし、また操作釦５は手の指に嵌めて使うタイプの指輪型のスイッチ装置５として、例えば左手人差し指に嵌合し、親指で操作し、片方の手だけでも操作できる形としている。
【００１４】
その使用例を図５に示す。これは航空機などの配線などの組み立てを工具１６を使用して作業を行っている例であり、図示したごとく、膨大な作業手順書を１頁毎にめくりながら作業するかわりに、一つの作業手順を順次画面に映しだして、作業を進め、その作業が終わると指輪型で小型のスイッチ装置５を操作して次の工程に進むようにしている。
このようにすることにより、作業手順書を使うのと比べ、はるかに効率良く仕事ができる。しかも両方の手は空いているので、自由に使え、作業現場での危険を回避できる余裕ができて作業の安全性を向上できる。
【００１５】
第３の実施の形態
図６に指輪型のスイッチ装置５の実施の形態を示し、リング状の保持具５ａは、中央部にスイッチ５ｂが取り付けられており、端部は解放してある。保持具５ａは例えば人差し指に嵌めるのに適した大きさとし、人差し指に嵌めて、スイッチ５ｂの取り付け面を親指側に向ければ、親指でスイッチ５ｂが操作できる。図６の（ａ）はスイッチ１個設けた例、（ｂ）はスイッチを横に２個、（ｃ）は縦横に２個ずつ設けた例を斜視図で示した。本発明はこれらの例に限定されることなく本発明の主旨の下に、さまざまな変更は可能である。
【００１６】
【発明の効果】
本発明に係る液晶モニター装置の保持装置及び保持装置を備える液晶モニター装置は、液晶モニターを手首に安定して保持でき、また指の間で操作できるスイッチ装置を提供できる。
【図面の簡単な説明】
【図１】本発明の映像表示装置の保持装置の第１の実施の形態の斜視図。
【図２】本発明の映像表示装置の保持装置の腕に装着した使用例を示す斜視図で、（ａ）は映像表示装置を起こした状態、（ｂ）は映像表示装置を畳んだ状態。
【図３】本発明の映像表示装置の保持装置を電車内で使用している状態。
【図４】本発明の映像表示装置の保持装置の第２の実施の形態の斜視図。
【図５】本発明の第２の実施の形態の映像表示装置を使用している状態の斜視図。
【図６】本発明のスイッチ装置の斜視図。
【符号の説明】
１…保持装置、２…映像表示装置、３…アーム部、３ａ…首振り機構、３ｂ…取り付け部、３ｃ…回転受け部、４…ホルダー、５…スイッチ装置、５ａ…保持具、５ｂ…スイッチ、６…画面、７…映像再生装置、８…ヘッドホン、９…締結手段、１０…手首ベルト、１１…ステー、１２…前腕止め部、１３…解放端部、１４…腕、１５…手
【図１】
0003635821.tif 000002
【図２】
0003635821.tif 000003
【図３】
0003635821.tif 000004
【図４】
0003635821.tif 000005
【図５】
0003635821.tif 000006
【図６】
0003635821.tif 000007